(57)【要約】【課題】杭を用いてプレキャストコンクリート版を敷き詰めて形成された道路において、所望の曲率の道路を施工することを目的とする。【解決手段】プレキャストコンクリート版（路版）１を用いる道路構造であって、道路のカーブ領域ではカーブの曲率に従うように、杭３が打設され、打設された杭の上に、台形、扇台形または多角形のプレキャストコンクリート版１が、各角部が杭３の頂部に対応するように敷き詰められ、杭３の頂部と、対応するプレキャストコンクリート版１の角部とが締結部材によって固定されている。【選択図】図２
2020190138.tif 000002
【特許請求の範囲】
【請求項１】
プレキャストコンクリート版を用いる道路構造であって、
道路のカーブ領域ではカーブの曲率に従うように、杭が打設され、
打設された杭の上に、台形、扇台形または多角形のプレキャストコンクリート版が、各角部が杭の頂部に対応するように敷き詰められ、
杭の頂部と、対応するプレキャストコンクリート版の角部とが締結部材によって固定されている、
道路構造。
【請求項２】
請求項１に記載の道路構造であって、
締結部材はボルトであり、
プレキャストコンクリートの各角部には貫通穴が設けられ、貫通穴を通るボルトにより杭の頂部と対応するプレキャストコンクリート版の角部とが固定される、
道路構造。
【請求項３】
プレキャストコンクリート版を用いる道路施工方法であって、
施工する道路のカーブ領域ではカーブの曲率に従うように、杭の打設位置を決定し、
決定された打設位置に杭を打設し、
打設された杭の上に、台形、扇台形または多角形のプレキャストコンクリート版を、各角部が杭の頂部に対応するように敷き詰め、
杭の頂部と、対応するプレキャストコンクリート版の角部とが締結部材によって固定する、
道路施工方法。
【発明の詳細な説明】
【技術分野】
【０００１】
本発明は、プレキャストコンクリート版を敷き詰めて施工された道路構造および道路施工方法に関する。
【背景技術】
【０００２】
特許文献１には、工場で製作されたプレキャストコンクリート版を、現場まで運搬して道路を施工する技術が開示されている。
【０００３】
この施工方法では、まず、道路を施工する領域を所定の深さまで切削した後、路床、路盤の土工を行う。続いて、グラウト材の漏出を防止するために路盤上にシートを敷設する。そして、工場から運搬してきたプレキャストコンクリート版をシートの上に敷設し、コッターを用いてプレキャストコンクリート版を結合する。その後、必要部分にグラウト材を充填して、これを養生させて道路を完成する。
【０００４】
特許文献２には、杭を用いる道路の施工について記載がある。すなわち、道傾斜面に基礎杭を打ち込み、道路の長さ方向に隣接する基礎杭の上端に受け梁を設け、受け梁上に床板を配置することで道路を構成する。また、受け梁をプレキャストコンクリート版で形成することも記載されている。
【先行技術文献】
【特許文献】
【０００５】
【特許文献１】特許第３７７８３３５号公報
【特許文献２】特開２００６−２８８０８号公報
【発明の概要】
【発明が解決しようとする課題】
【０００６】
ここで、特許文献１によるプレキャストコンクリート版を敷設する道路施工では、現場でのコンクリート打ちが不要であり工期を短縮することができ、また工場でコンクリート版を製作するため、高品質のコンクリートを得ることができるなどのメリットがある。
【０００７】
しかしながら、特許文献１では、プレキャストコンクリート版を路盤上に水平に敷設する必要があり、そのアライメント等の作業に多くの時間が必要になる場合もある。
【０００８】
また、特許文献２に示されるように、杭を用いることも考えられるが、特許文献２はプレキャストコンクリート版を受け梁に用いることを示すだけであり、プレキャストコンクリート版により道路を構成する場合に杭を用いる場合の構成を示唆するものではない。
【０００９】
さらに、これら従来例においては、プレキャストコンクリート版を用いて、所望の曲率に従って道路を施工することについての示唆はない。
【００１０】
本発明は、杭を用いてプレキャストコンクリート版を敷き詰めて形成された道路において、所望の曲率の道路を施工することを目的とする。
【課題を解決するための手段】
【００１１】
本発明は、プレキャストコンクリート版を用いる道路構造であって、道路のカーブ領域ではカーブの曲率に従うように、杭が打設され、打設された杭の上に、台形、扇台形または多角形のプレキャストコンクリート版が、各角部が杭の頂部に対応するように敷き詰められ、杭の頂部と、対応するプレキャストコンクリート版の角部とが締結部材によって固定されている。
【００１２】
締結部材はボルトであり、プレキャストコンクリートの各角部には貫通穴が設けられ、貫通穴を通るボルトにより杭の頂部と対応するプレキャストコンクリート版の角部とが固定されるとよい。
【００１３】
本発明は、プレキャストコンクリート版を用いる道路施工方法であって、施工する道路のカーブ領域ではカーブの曲率に従うように、杭の打設位置を決定し、決定された打設位置に杭を打設し、打設された杭の上に、台形、扇台形または多角形のプレキャストコンクリート版を、各角部が杭の頂部に対応するように敷き詰め、杭の頂部と、対応するプレキャストコンクリート版の角部とが締結部材によって固定する。
【発明の効果】
【００１４】
本発明によれば、杭を用いてプレキャストコンクリート版を敷き詰めて形成された道路において、所望の曲率の道路を得ることができる。
【図面の簡単な説明】
【００１５】
【図１】本実施形態における道路構造を示す斜視図である。
【図２】図１の一部の拡大図であり、一部のプレキャストコンクリート版（以下、「路版」）を取り除いたときの斜視図である。
【図３】組立後の路版をボルトの位置で垂直方向に切断したときの断面図である。
【図４】路版の構成例を示す図である。
【図５】路版の敷設例を示す図である。
【図６】路版を台形状とした例を示す図である。
【図７】矩形の路版と三角形の路版や台形の路版を組み合わせる、路版の敷設例を示す図である。
【図８】矩形の路版と三角形の路版や台形の路版を組み合わせる、路版の他の敷設例を示す図である。
【図９】本実施形態における道路施工方法の手順を示す図である。
【発明を実施するための形態】
【００１６】
以下、本発明の実施形態について、図面に基づいて説明する。なお、本発明は、ここに記載される実施形態に限定されるものではない。
【００１７】
図１は、本実施形態における道路構造を示す斜視図である。図２は、図１の一部の拡大図であり、一部のプレキャストコンクリート版（以下、「路版」）を取り除いたときの斜視図である。図３は、組立後の路版をボルトの位置で垂直方向に切断したときの断面図である。
【００１８】
「道路構造」
路版１は、工場などで運搬可能な形や大きさに予め製造された板状のプレキャストコンクリートであり、路版１を現場で並べて敷設することで道路が形成される。
【００１９】
本実施形態において、道路は所定の曲率でカーブしているカーブ領域の道路構造であり、路版１は扇台形であって路版１が路体２に立設された杭３の上に敷設される。ここで、路体２とは、道路を施工する領域を掘り下げて形成される道路構造の最下層の地面をいうが、本実施形態では路体２の表面が露出しており、道路領域における地面が路体２を構成する。杭３は、下部が路体２に打設されることで、路体２に立設される。杭３は円筒形状で形成され、その頂部には固定部材１５が固定され、ここにねじ穴６が設けられる。
【００２０】
本実施形態では、１本の杭３の頂部に対し、対応する４枚の路版１の一角を突き合わせるように載置し、それぞれの路版１を締結部材であるボルト４で杭３の頂部の固定部材に締結する。このため、杭３の頂部の固定部材１５には、載置された各路版１の貫通穴５と対向する各位置（４箇所）にねじ穴６が形成される。ねじ穴６には、雌ねじが切ってあり、ボルト４のねじ部が螺合されることで、路版１が固定部材１５を介し杭３の頂部に固定される。また、杭３の頂部（杭３と各路版１の角部との間）には、緩衝材７が配置され、路版１の振動を抑制する。緩衝材７には、ゴム、ウレタンなどの弾力のある材質のものを採用するとよい。なお、貫通穴５およびねじ穴６に対向する緩衝材７の位置には、ボルト４を通すための貫通穴８が形成されている。
【００２１】
路版１の角部の裏面であって杭３の頂部（厳密には緩衝材７）と当接する部分には、切り欠き９が形成されている。この切り欠き９は、断面が円形状の杭３を四分したときの四分円形状をしており、４枚の路版１が１つの杭３に載置されたときに、４枚の路版１の切り欠き９によって、杭３が収まる円筒形状の溝が形成されるようになっている。これにより、路版１と杭３との位置決め、換言すると路版１の貫通穴５と杭３のねじ穴６との位置合わせが容易となる。
【００２２】
「路版の構成」
図４は、路版１の構成例を示す図である。このように、路版１は、扇台形状をしており、一定の厚さで、四隅に貫通穴５を有している。
【００２３】
図５は、路版１の敷設例を示している。このように、道路の曲率に応じて形成された路版１を敷き詰めて、所定の曲率のカーブ道路が形成されている。この例では、道路の幅方向に４種類の路版１−１〜１−４が順に敷設されている。最も内側の路版１−１の外周長さが次の路版１−２の内周長さに対応し、路版１−２の外周長さが路版１−３の内周長さ、路版１−３外周長さが路版１−４の内周長さに対応する。これを道路の長さ方向に敷き詰めることでカーブ道路が形成される。
【００２４】
図６は、路版１を多角形（台形）状とした例を示す図である。このように、内側の路版１−１の長辺長さを次の路版１−２の短辺長さに対応させることで、所望の曲率を得ることができる。
【００２５】
図７は、矩形の路版１と、三角形の路版１や台形の路版１を組み合わせることによって、所望の曲率を得る敷設例を示す図である。
【００２６】
図８は、さらに他の例を示すものであり、矩形の路版１について、複数連続された後に、三角形や台形の路版１を配置している。このように、内側と外側の長さが異なる路版１を適宜組み合わせることによって、全体として任意の曲率の道路を形成することができる。
【００２７】
「手順」
次に、本実施形態における道路施工方法の手順について図９を用いて説明する。まず、道路を施工する場所について、３次元測量する（Ｓ１０１）。そして、測量結果に基づいて、杭３を打設する位置（打設位置）、高さなどの道路施工についての各種の仕様を決定することで、道路を設計する（Ｓ１０２）。設計結果に基づき道路の施工領域を所定の深さまで切削する（Ｓ１０３）。本実施形態では、図１，２に示すように路版１と路体２との間に空間１４が形成されるよう深く掘り下げる。
【００２８】
続いて、杭３を設計通りの間隔、高さで打設する（Ｓ１０４）。例えば、（株）技研製作所のサイレントパイラー（登録商標）等の圧入機を使用して杭３を所望の深さまで打ち込む。特に、各杭３の頂部が路面から路版１の厚み分下の位置で所定の高さになるように打設する。そして、杭３の打設が終了した場合には、杭３の頂部に固定部材１５を固定する（Ｓ１０５）。
【００２９】
次に、クレーン等を使用して杭３の上に路版１を載置し（Ｓ１０６）、路版１を、ボルトで杭３に固定する（Ｓ１０７）。
【００３０】
路版１を敷設すると、路版１の間（継ぎ目）、目地にグラウト材を充填する（Ｓ１０８）。そして、グラウト材を養生させる（Ｓ１０９）。このようにして、道路が完成する。
【００３１】
ところで、本実施形態では、前述したように路版１下（路版１と路体２との間）に空間１４を形成するように施工できる。空間１４を形成することで、その空間１４を様々な目的で利用させることが可能となる。例えば、ゲリラ豪雨などの際に増水した場合、一時的な貯水空間として利用できる。あるいは、インフラ（電気、ガス、水道、情報等に用いる配管やケーブル等の構造物）の設置空間として利用できる。
【符号の説明】
【００３２】
１  路版、２  路体、３  杭、４  ボルト、５  貫通穴、６  ねじ穴、７  緩衝材、８  貫通穴、１４  空間、１５  固定部材。
【図１】
2020190138.tif 000003
【図２】
2020190138.tif 000004
【図３】
2020190138.tif 000005
【図４】
2020190138.tif 000006
【図５】
2020190138.tif 000007
【図６】
2020190138.tif 000008
【図７】
2020190138.tif 000009
【図８】
2020190138.tif 000010
【図９】
2020190138.tif 000011